(57)【要約】【課題】本発明はスピーカの音質向上に関するものであり、接着剤の軽量化によって能率、高域特性を改善する。【解決手段】本発明のスピーカは、フレーム５の中央に設けられた磁気回路１と、上記磁気回路１の磁気ギャップ１２に挿入されるボイスコイル６と、上記フレーム５及び上記ボイスコイル６に固定されるダンパー７と、上記フレーム５及び上記ボイスコイル６に固定される振動板８と、上記ボイスコイル６及び上記振動板８に固定されるダストキャップ９とを含み、上記ボイスコイル６と上記振動板８と上記ダストキャップ９の３点を、共通の接着剤１０にて同時に固定して構成されるものである。これにより、振動系が軽量化され、能率や高域特性の向上が図られる。【選択図】  図１
2005012332.tif 000002
【特許請求の範囲】
【請求項１】
フレームの中央に設けられた磁気回路の磁気ギャップに挿入されたボイスコイルと、上記フレーム及び上記ボイスコイルに固定されるダンパーと、上記フレーム及び上記ボイスコイルに固定される振動板と、上記ボイスコイル及び上記振動板に固定されるダストキャップを有し、上記ボイスコイルに対し上記振動板と上記ダストキャップの接合部分に塗布した共通の接着剤にて同時に固定して構成されるスピーカ。
【請求項２】
ボイスコイルと振動板の接合部分の複数ヶ所に塗布した予備接着剤にて、仮固定したボイスコイルと振動板にダストキャップを接合し、この接合部分に塗布した共通の主接着剤にて上記ボイスコイルと上記振動板と上記ダストキャップを同時に固定して構成される請求項１記載のスピーカ。
【請求項３】
ダンパーとボイスコイルと振動板の接合部分の複数ヶ所に塗布した予備接着剤にて仮固定したダンパーとボイスコイルと振動板にダストキャップを接合し、この接合部分に塗布した共通の主接着剤にて上記ダンパーと上記ボイスコイルと上記振動板と上記ダストキャップを同時に固定して構成される請求項１記載のスピーカ。
【発明の詳細な説明】
【０００１】
【発明の属する技術分野】
本発明はスピーカの特性、音質の改善に関するものである。
【０００２】
【従来の技術】
従来の技術を図３〜図５により説明する。図３において、１７は磁気回路であり、この磁気回路１７はセンターポール１３を備えた下部プレート１４、リング状マグネット１５、リング状の上部プレート１６を積層して接着結合することにより構成されている。１８は上記磁気回路１７の上部プレート１６に接着結合されたフレームであり、このフレーム１８の周縁部にはガスケット１９とともに振動板２０の周縁部が接着結合されている。
【０００３】
２２は上記振動板２０の中央部に接着結合された上記磁気回路１７の磁気ギャップ２１にはまり込むボイスコイルであり、このボイスコイル２２の中間部はダンパー２３で支持されており、ボイスコイル２２は磁気ギャップ２１に偏心することのないようにはまり込んでいる。２５はダストキャップであり、ボイスコイル２２に接着固定されている。
【０００４】
図４、図５において、２４は振動板２０に設けられたスリット、２５はダストキャップ、２６はボイスコイル２２のボビン上端に設けられた突起部であり、振動板２０のスリット２４にボビンの突起部２６を嵌合させて接着固定してある。これは、ダストキャップを独立に接着する図３に示すスピーカより接着剤の軽量化が図れるものである。
【０００５】
この出願の発明に関する先行技術文献情報としてはたとえば特許文献１が知られている。
【０００６】
【特許文献１】
実開平６−３８３９８号公報
【０００７】
【発明が解決しようとする課題】
以上のような構造からなるスピーカは接着剤が多用され、振動部品を固定する接着剤は特性や音質にも関係し、一般的にはボイスコイル、ダンパー、振動板及びダストキャップを固定する接着剤の影響が大きい。特に軽量な振動部品を用いて高音まで再生するタイプのスピーカではこれら接着剤の重さは能率低下や高域減衰の原因となるため、必要最小限とすることが望まれる。
【０００８】
そのための改善の一つとして、接着個所を減らすため振動板にスリットを設け、ボイスコイルボビンに突起部を設け、それぞれを嵌合させてその嵌合部分のみ接着することにより接着剤の軽量化を図ることが可能であるが、寸法公差による遊びが嵌合部に追加されることから、密着固定が難しく振動伝達が劣化するという課題を有するものであった。
【０００９】
本発明はこれらの課題を解決するもので、振動部品に使用する接着剤を必要最小限とし、接着作業を削減することにより、能率低下や高域減衰を改善し、高音まで良好な音圧−周波数特性のスピーカを提供するものである。
【００１０】
【課題を解決するための手段】
上記課題を解決するために、本発明の請求項１記載のスピーカは、フレームの中央に設けられた磁気回路の磁気ギャップに挿入されたボイスコイルと、上記フレーム及び上記ボイスコイルに固定されるダンパーと、上記フレーム及び上記ボイスコイルに固定される振動板と、上記ボイスコイル及び上記振動板に固定されるダストキャップを有し、上記ボイスコイルと上記振動板と上記ダストキャップの接合部分に塗布した共通の接着剤に同時に固定して構成されるものであり、振動部品の軽量化および接着作業性の向上を図るものである。
【００１１】
本発明の請求項２記載のスピーカは、請求項１に記載の発明において、ボイスコイルと振動板の接合部分の複数ヶ所に塗布した予備接着剤にて、仮固定したボイスコイルと振動板にダストキャップを接合し、この接合部分に塗布した共通の主接着剤にて同時に固定して構成されるものであり、請求項１記載の効果に加えて接着位置の安定を図るものである。
【００１２】
本発明の請求項３記載のスピーカは、請求項１に記載の発明において、ダンパーとボイスコイルと振動板の接合部分の複数ヶ所に塗布した予備接着剤にて仮固定したダンパーとボイスコイルと振動板にダストキャップを接合し、この接合部分に塗布した共通の主接着剤に同時に固定して構成されるものであり、請求項１記載の効果に加えて更なる振動部品の接着性の向上を図るものである。
【００１３】
【発明の実施の形態】
本発明の実施の形態について図１、図２を用いて説明する。
【００１４】
（実施の形態１）
図１により本発明の実施の形態１によるスピーカの断面図を示す。図１において、ボイスコイル６を治具により磁気回路１の磁気ギャップ１２に治具規正し、ボイスコイル６にダンパー７の内周を固定し、そのダンパー７の外周をフレーム５に固定する。ボイスコイル６に振動板８の内周を挿入し、振動板８の外周をフレーム５に固定した後、ボイスコイル６から治具を取外す。振動板８の内周に接着剤１０を塗布し、その直後にダストキャップ９を挿入し、この共通の接着剤１０にてボイスコイル６に対して振動板８およびダストキャップ９を同時に接着固定させるものである。
【００１５】
この構成により、ボイスコイル６と振動板８とダストキャップ９の接着固定を同時に行うため、従来のボイスコイルとダストキャップの接着作業および接着剤１０が減量され、振動系として軽量化を図ることが可能となる。また１ヶ所に塗布した共通の接着剤１０にて同時に接着固定されるため、振動伝達の劣化がなく、更にボイスコイルの振動が振動板８とダストキャップ９に位相差なく伝達され、周波数特性や音質の向上を得るものである。
【００１６】
（実施の形態２）
図１により本発明の実施の形態２によるスピーカについて説明する。
【００１７】
ボイスコイル６と振動板８の内周の接合部分の複数ヶ所に塗布した予備接着剤にて仮固定したボイスコイル６と振動板８にダストキャップ９を接合し、この接合部分に共通の主接着剤１０を塗布し、この共通の主接着剤１０にてボイスコイル６と振動板８とダストキャップ９を同時に接着固定するものである。
【００１８】
この構成により、ボイスコイル６の位置が安定し、不良率の改善が図られる。なお、ダストキャップ９は主接着剤１０でのみ固定されるため、予備接着剤の塗布位置や塗布量には最適値が存在する。
【００１９】
（実施の形態３）
図２により本発明の実施の形態３によるスピーカについて説明する。図２において、ボイスコイル６を治具により磁気回路１の磁気ギャップ１２に治具規正し、ダンパー７の外周のみをフレーム５と固定し、治具を取外す前にボイスコイル６とダンパー７と振動板８の接合部分の複数ヶ所に予備接着剤を塗布して仮固定した後、治具を取外して仮固定したボイスコイル６とダンパー７と振動板８にダストキャップ９を接合し、この接合部分に共通の主接着剤１１を塗布し、この共通の主接着剤１１にてダンパー７とボイスコイル６と振動板８とダストキャップ９を同時に接着固定するものである。
【００２０】
この構成によりボイスコイル６とダンパー７の接着剤１１も更に減量されるため、更なる振動系の軽量化が可能となる。但し、本実施の形態はボイスコイルリードが振動板を経て配線されるタイプのスピーカに限られる。
【００２１】
【発明の効果】
以上のように本発明のスピーカは、フレームの中央に設けられた磁気回路の磁気ギャップに挿入されたボイスコイルと、上記フレーム及び上記ボイスコイルに固定されるダンパーと、上記フレーム及び上記ボイスコイルに固定される振動板と、上記ボイスコイル及び上記振動板に固定されるダストキャップを有し、上記ボイスコイルに対し上記振動板と上記ダストキャップの接合部分に塗布した接着剤にて同時に固定する構成により、振動系が軽量化され、能率や高域特性の向上が図られる。また、各振動部品が密着して固定されるため、振動伝達の劣化もなく、位相の整った音響再生が可能で、音質向上に大きく貢献するものである。
【図面の簡単な説明】
【図１】本発明の実施の形態１及び２におけるスピーカの断面図
【図２】本発明の実施の形態３におけるスピーカの断面図
【図３】従来のスピーカの半断面図
【図４】従来の振動板の上面図
【図５】従来のボイスコイルの見取図
【符号の説明】
１  磁気回路
２  プレート
３  マグネット
４  ヨーク
５  フレーム
６  ボイスコイル
７  ダンパー
８  振動板
９  ダストキャップ
１０  本発明の実施の形態１，２における３部品の接着剤
１１  本発明の実施の形態３における４部品の接着剤
１２  磁気ギャップ
【図１】
2005012332.tif 000003
【図２】
2005012332.tif 000004
【図３】
2005012332.tif 000005
【図４】
2005012332.tif 000006
【図５】
2005012332.tif 000007